(57)【要約】【課題】二酸化マンガンと吸着材からなる脱臭材において、コストやスペースを必要とせず、しかも簡易構造で、湿度の影響を受けないトイレ用脱臭装置を提供することを目的とする。【解決手段】高湿度雰囲気において吸湿特性を、低湿度雰囲気において放湿特性を有した調湿材料からなる調湿機能部と、二酸化マンガンと吸着剤を含む脱臭機能部と、送風機能部とからなるトイレ用脱臭装置において、前記調湿機能部が、前記脱臭機能部の風上に位置するように、構成した。【選択図】  図１
2005002658.tif 000002
【特許請求の範囲】
【請求項１】
高湿度雰囲気において吸湿特性を、低湿度雰囲気において放湿特性を有した調湿材料からなる調湿機能部と、二酸化マンガンと吸着剤を含む脱臭機能部と、送風機能部とからなるトイレ用脱臭装置において、前記調湿機能部が前記脱臭機能部の風上に位置することを特徴とするトイレ用脱臭装置。
【請求項２】
請求項１に記載のトイレ用脱臭装置において、前記調湿材料は二酸化マンガンと吸着材が担持された担持部と、前記調湿機能部に二酸化マンガンと吸着材が担持されていない非担持部とを有し、前記非担持部が前記担持部の風上に位置していることを特徴とするトイレ用脱臭装置。
【請求項３】
請求項１記載の調湿機能部と脱臭機能部とを、前記調湿機能部を構成する調湿材料をハニカム状に成形し、二酸化マンガンと吸着剤とを水溶液状とし、前記ハニカム状の調湿材料の一部を該水溶液に含浸したのち、エアーブローを行い、さらに乾燥する工程を繰り返し行うことにより形成することを特徴とするトイレ用脱臭装置。
【請求項４】
請求項１乃至３に記載のトイレ用脱臭装置が温水洗浄便座に内蔵されていることを特徴とするトイレ用脱臭装置。
【発明の詳細な説明】
【０００１】
【発明の属する技術分野】
本発明は、脱臭性能が湿度に影響を受けないトイレ用脱臭装置に関する。
【０００２】
【従来の技術】
二酸化マンガンと吸着材からなる脱臭材料は、硫化水素やメチルメルカプタンなどの臭気成分と反応し、硫酸、メタンスルホン酸や二硫化メチル、三硫化メチル、四硫化メチルを生成後、硫酸やメタンスルホン酸は金属酸化物と結合し、また二硫化メチル、三硫化メチル、四硫化メチルは活性炭に物理吸着される（例えば、特許文献１）。
【０００３】
二酸化マンガンと吸着材からなる脱臭材料は、高湿度環境下においては吸着能を失い十分な脱臭効果が得られないため、ヒートポンプシステムの吸熱部と、放熱部と、脱臭材とを上流より順に配設する風路を有する脱臭機能付き空調装置（例えば、特許文献２）や担体、その上に形成されたシリカ／アルミナの比が少なくとも１００以上である疎水性ゼオライトからなる吸着層、およびそれに担持された二酸化マンガンと銅酸化物よりなる触媒成分、からなることを特徴とする疎水性脱臭材（例えば、特許文献３）など、高湿度環境下で影響を受けない脱臭方式が提案されている。
【０００４】
【特許文献１】
ＷＯ９６−２９０９９
【特許文献２】
特開平６−１５９７２７
【特許文献３】
特開平８−２４３３８３
【０００５】
【発明が解決しようとする課題】
一般に、ニ酸化マンガンと吸着材からなる脱臭材は、相対湿度１００％近傍において従来の技術記載のごとく硫化水素やメチルメルカプタンなどの臭気ガスの二酸化マンガンや吸着材への吸着を水蒸気が邪魔するため、脱臭性能が低下するという問題があった。
また、相対湿度約７０％以上の比較的高湿度下においては、吸着材に吸着されていた二硫化メチル、三硫化メチル、四硫化メチルが多く放出されやすく異臭原因となる問題があった。
また、当方での研究の結果、相対湿度０％近傍においては二硫化メチル、三硫化メチル、四硫化メチルが吸着材に残留し全く大気中に放出されないため、二硫化メチル、三硫化メチル、四硫化メチルが触媒部を被覆し脱臭性能が低下するとの新たな知見を得た。
【０００６】
このとき、特許文献２にようにヒートポンプシステムを用いて、脱臭の前に空調機を利用して湿度を調節することが考えられるが、システムが大掛かりとなると共に多大なコストやスペースを要する。
【０００７】
本発明の課題は、二酸化マンガンと吸着材からなる脱臭材において、簡易構造で湿度の影響を受けないトイレ用脱臭装置を提供することである。
【０００８】
【課題を解決するための手段】
上記課題を解決するためになされた請求項１記載の発明は、高湿度雰囲気において吸湿特性を、低湿度雰囲気において放湿特性を有した調湿材料からなる調湿機能部と、二酸化マンガンと吸着剤を含む脱臭機能部と、送風機能部とからなるトイレ用脱臭装置において、前記調湿機能部が前記脱臭機能部の風上に位置することを特徴とする。
【０００９】
二酸化マンガンと吸着材を含む脱臭機能部は湿度の影響を受け、硫化水素やメチルメルカプタンなどの臭気ガスの除去性能や二硫化メチル、三硫化メチル、四硫化メチルの放出量が異なってくる。しかし、脱臭機能部の風上に調湿機能部を設けることにより、湿度の影響を受けない脱臭性能の安定した脱臭装置を作成することができる。
【００１０】
請求項２記載の発明は、請求項１に記載のトイレ用脱臭装置において、前記調湿機能部は二酸化マンガンと吸着材が担持された担持部と、前記調湿機能部に二酸化マンガンと吸着材が担持されていない非担持部とを有し、前記非担持部が前記担持部の風上に位置していることを特徴とする。
【００１１】
本請求項は、湿度の影響を受けない脱臭性能の安定した脱臭装置を作成できるばかりでなく、二つの機能部を一体化することができコンパクトにできると共に、セピオライト、アルミナ、珪藻土などの調湿材料をハニカムなどの成形体へ二酸化マンガンと吸着材を担持するだけですむので容易に調湿・脱臭の一体機能部を製造することができる。
【００１２】
請求項３記載の発明は、請求項１記載の調湿機能部と脱臭機能部とを、前記調湿機能部を構成する調湿材料をハニカム状に成形し、二酸化マンガンと吸着剤とを水溶液状とし、前記ハニカム状の調湿材料の一部を該水溶液に含浸したのち、エアーブローを行い、さらに乾燥する工程を繰り返し行うことにより形成することを特徴とする。
【００１３】
本請求項は湿度の影響を受けない脱臭性能の安定した脱臭装置を作成できるばかりでなく、二つの機能部を一体化することができコンパクトにできると共に低コストかつコンパクトにすることが可能となる。調湿材料は、セピオライト、アルミナ、珪藻土などである。
【００１４】
請求項４に記載の発明は、請求項１乃至３に記載のトイレ用脱臭装置が温水洗浄便座に内蔵されていることを特徴とする。
【００１５】
温水洗浄便座の脱臭機能部の前段に調湿機能を追加することにより、上記構成が可能となるため、トイレ用脱臭装置を作成することができる。
【００１６】
【発明の実施の形態】
以下に本発明の実施の形態を、添付図面により詳細に説明する。
【００１７】
図１に調湿機能部と脱臭機能部を有したトイレ用脱臭装置１を温水洗浄便座に組み込んだ場合の構造図を示す。
トイレ用脱臭装置１は、送風機６が駆動することにより吸込口３から臭気ガスを吸入し、調湿機能部４で相対湿度が３０〜６０％Ｒｈに調整され、脱臭機能部５で硫化水素やメチルメルカプタン等の臭気ガスが脱臭され、送風機６を通過後吹出口７から脱臭かつ湿度調整された空気が放出される。
脱臭機能部には湿度調整された空気が供給されるため、脱臭機能部の臭気ガスの除去性能や二硫化メチル、三硫化メチル、四硫化メチルの放出量が安定する。
【００１８】
図２に調湿機能材料で成形されたハニカムの一部に二酸化マンガンと吸着材を担持した調湿・脱臭機能部８の外観図である。調湿・脱臭機能部８は、調湿材料のみで構成される部分９と調湿材料に二酸化マンガンと吸着材がコーティングされた部分１０とからなり、ハニカム形状の調湿機能材料に二酸化マンガンと吸着材をディップコートすることにより作成可能なため簡単に製造することができる。
【００１９】
【実施例】
以下、実施例により更に本発明を詳細に説明するが、本発明はその主旨を超えない限り、これらに限定されるものではない。
【００２０】
実施例１：二酸化マンガン１７重量％、酸化銅１２重量％、活性炭６８％、メチルセルロースバインダー３％の水溶液を作成し、その水溶液にセピオライト材料で構成される外形寸法５３．５ｍｍ×３１．５ｍｍ×４８ｍｍｔ、セル数４８０／ｉｎｃｈ２、目開き０．９ｍｍ角のハニカムを含浸、エアーブロー、乾燥を繰返しおこない脱臭体を作成した。
【００２１】
実施例２：二酸化マンガン１７重量％、酸化銅１２重量％、活性炭６８％、メチルセルロースバインダー３％の水溶液を作成し、その水溶液にセピオライト材料で構成される外形寸法５３．５ｍｍ×３１．５ｍｍ×９６ｍｍｔ、セル数４８０／ｉｎｃｈ２、目開き０．９ｍｍ角のハニカムの半分を含浸、エアーブロー、乾燥を繰返しおこない脱臭体を作成した。
【００２２】
実施例１あるいは実施例２で作成した脱臭体に硫化水素５ｐｐｍ、メチルメルカプタン５ｐｐｍの混合ガスを湿度０％Ｒｈ、３０％Ｒｈ、６０％Ｒｈ、９５％Ｒｈの４つの条件下で温度２０℃、風量２００リットル／ｍｉｎ、４時間供給し、硫化水素ガス  Ｈ２Ｓの除去率とメチルメルカプタンガスＣＨ３ＳＨの除去率とジメチルジサルファイド（ＣＨ３）２Ｓ２（ＤＭＤＳ）の発生量を測定した。その結果を表１に示す。なお、試験開始前の脱臭体は２０℃、６０％Ｒｈの条件下にて保管した。
【００２３】
【表１】
2005002658.tif 000003
【００２４】
上記試験結果のごとく、実施例１のサンプルは調湿機能部が脱臭機能部の風上にないため、低湿度雰囲気下ではＨ２Ｓ除去率、ＣＨ３ＳＨ除去率が低く、高湿度雰囲気下ではジメチルジサルファイド（ＤＭＤＳ）の発生量が多い。それに対し、調湿機能部が脱臭機能部の風上に位置する実施例２のサンプルは、実施例１のサンプルと比較すると、低湿度雰囲気下ではＨ２Ｓ除去率、ＣＨ３ＳＨ除去率が高く、高湿度雰囲気下ではジメチルジサルファイド（ＤＭＤＳ）発生量が少なくなっており、調湿機能部の効果の現れた結果となっている。
【００２５】
ここで、本発明においては、趣旨を変えない範囲で種々の変更が可能である。
例えば、本実施形態においては、脱臭装置を温水洗浄便座に組み込んだが、例えば、単独で脱臭器としてもいいし、擬音発生装置等のトイレ空間に存在する機器に組み込むこともできる。
また、本実施形態においては、脱臭装置をハニカム形状に成形したが、発泡体として成形することもできる。
【００２６】
【発明の効果】
二酸化マンガンと吸着剤を含んだ脱臭機能部の前段に調湿機能部を設けることにより、湿度に影響を受けないトイレ用脱臭装置を提供することができる。さらには、セピオライト、アルミナ、珪藻土などの調湿材料をハニカムなどの成形体へ二酸化マンガンと吸着剤を一部担持し、担持部を非担持部の前段に配置することにより、容易に調湿・脱臭の一体機能部を製造することができる。
【図面の簡単な説明】
【図１】調湿機能部と脱臭機能部を有したトイレ用脱臭装置１の構造図
【図２】調湿機能材料で成形されたハニカムの一部に二酸化マンガンと吸着材が担持された調湿・脱臭機能部８の外観図
【符号の説明】
１…調湿機能部と脱臭機能部を有したトイレ用脱臭装置
２…風路壁
３…吸込口
４…調湿機能部
５…脱臭機能部
６…送風機能部
７…吹出口
８…調湿機能材料で成形されたハニカムの一部に二酸化マンガンと吸着材が担持された調湿・脱臭機能部
９…調湿材料のみで構成される部分
１０…調湿材料に二酸化マンガンと吸着材がコーティングされた部分
【図１】
2005002658.tif 000004
【図２】
2005002658.tif 000005